(57)【要約】【課題】文字表示欄の表示領域を拡大し、一括表示することのできる文字列の文字数を増やすナビゲーション装置を提供する。【解決手段】文字表示欄２１ｄを押圧し、押圧した状態で、押圧位置を矢印３１に移動し、文字表示欄２１ｄ以外の領域で表示画面から指を離して押圧を止める。そうすると、文字表示欄２１ｄが選択される。その結果、施設方向表示欄２２ｄの表示は消え、施設方向表示欄２２ｄの領域分、文字表示欄２１ｄの領域が広がり、一括表示することのできる文字数が増加する。【選択図】図３
2008032628.tif 000002
【特許請求の範囲】
【請求項１】
表示モニタと、
文字表示欄を前記表示モニタに表示し、前記文字表示欄と隣接して１つまたは複数のサブ表示欄を表示する表示欄制御手段と、
前記文字表示欄に文字列を表示する文字列表示手段と、
前記サブ表示欄に前記文字表示欄に表示された文字列に関連する情報を表示する情報表示手段とを備え、
前記表示欄制御手段は、前記サブ表示欄の一部または全部を消去して前記文字表示欄の領域を拡大することを特徴とするナビゲーション装置。
【請求項２】
請求項１に記載のナビゲーション装置において、
前記表示モニタに設けられたタッチパネルと、
前記タッチパネルを介して前記文字表示欄が押圧され、前記文字表示欄以外の領域で押圧が終了すると、前記文字表示欄を選択する選択手段とを備え、
前記表示欄制御手段は、上下に文字表示欄およびサブ表示欄を複数組表示し、前記選択手段によって選択された文字表示欄の領域を拡大することを特徴とするナビゲーション装置。
【請求項３】
請求項２に記載のナビゲーション装置において、
前記表示欄制御手段は、前記文字表示欄の領域を拡大するとき、前記複数のサブ表示欄のうちの一部のサブ表示欄を消去し、
前記情報表示手段は、前記表示欄制御手段によって消去されなかったサブ表示欄が押圧されると、前記表示欄制御手段によって消去されたサブ表示欄に表示されていた情報を前記押圧されたサブ表示欄に表示することを特徴とするナビゲーション装置。
【請求項４】
請求項１乃至３に記載のナビゲーション装置において、
検索条件を入力する検索条件入力手段と、
前記検索条件に基づいて施設を検索する検索手段とを備え、
前記文字列表示手段は、前記検索手段によって検索された施設の施設名称を表示し、
前記情報表示手段は、前記検索手段によって検索された施設に関する情報を表示することを特徴とするナビゲーション装置。
【請求項５】
請求項２または３に記載のナビゲーション装置において、
検索条件を入力する検索条件入力手段と、
前記検索条件に基づいて施設を検索する検索手段とを備え、
前記文字列表示手段は、前記検索手段によって検索された施設の施設名称を表示し、前記選択手段によって選択した文字表示欄が押圧されると、前記文字表示欄に、前記文字表示欄に表示された施設に関する詳細情報を順次切り替えて表示することを特徴とするナビゲーション装置。
【請求項６】
請求項４または５に記載のナビゲーション装置において、
前記表示欄制御手段は、第１のサブ表示欄と第２のサブ表示欄とを表示するとともに、前記第１のサブ表示欄を消去することによって前記文字表示欄の領域を拡大し、
前記情報表示手段は、前記第１のサブ表示欄および前記第２のサブ表示欄のいずれかに、前記検索手段で検索した施設の自車位置に対する方向を表示し、前記第１のサブ表示欄および前記第２のサブ表示欄の他方に、前記検索手段で検索した施設までの距離を表示することを特徴とするナビゲーション装置。
【発明の詳細な説明】
【技術分野】
【０００１】
本発明は、施設検索の結果をリストとして表示するナビゲーション装置に関する。
【背景技術】
【０００２】
目的項目が選択されると、目的地の候補地を検索し、検索した候補地を現在地からの距離とともにディスプレイ装置に表示する車載用ナビゲーション装置が、従来技術として知られている（たとえば、特許文献１）。
【特許文献１】特開２０００−１２１３７６号公報
【発明の開示】
【発明が解決しようとする課題】
【０００３】
特許文献１のような従来のナビゲーション装置では、候補地を表示するための文字表示欄に表示できる文字数は一定であるため、候補地の名称を全て表示できない場合があるという問題点がある。
【課題を解決するための手段】
【０００４】
（１）請求項１の発明のナビゲーション装置は、表示モニタと、文字表示欄を表示モニタに表示し、文字表示欄と隣接して１つまたは複数のサブ表示欄を表示する表示欄制御手段と、文字表示欄に文字列を表示する文字列表示手段と、サブ表示欄に文字表示欄に表示された文字列に関連する情報を表示する情報表示手段とを備え、表示欄制御手段は、サブ表示欄の一部または全部を消去して文字表示欄の領域を拡大することを特徴とする。
（２）請求項２の発明は、請求項１に記載のナビゲーション装置において、表示モニタに設けられたタッチパネルと、タッチパネルを介して文字表示欄が押圧され、文字表示欄以外の領域で押圧が終了すると、文字表示欄を選択する選択手段とを備え、表示欄制御手段は、上下に文字表示欄およびサブ表示欄を複数組表示し、選択手段によって選択された文字表示欄の領域を拡大することを特徴とする。
（３）請求項３の発明は、請求項２に記載のナビゲーション装置において、表示欄制御手段は、文字表示欄の領域を拡大するとき、複数のサブ表示欄のうちの一部のサブ表示欄を消去し、情報表示手段は、表示欄制御手段によって消去されなかったサブ表示欄が押圧されると、表示欄制御手段によって消去されたサブ表示欄に表示されていた情報を押圧されたサブ表示欄に表示することを特徴とする。
（４）請求項４の発明は、請求項１乃至３に記載のナビゲーション装置において、検索条件を入力する検索条件入力手段と、検索条件に基づいて施設を検索する検索手段とを備え、文字列表示手段は、検索手段によって検索された施設の施設名称を表示し、情報表示手段は、検索手段によって検索された施設に関する情報を表示することを特徴とする。
（５）請求項５の発明は、請求項２または３に記載のナビゲーション装置において、検索条件を入力する検索条件入力手段と、検索条件に基づいて施設を検索する検索手段とを備え、文字列表示手段は、検索手段によって検索された施設の施設名称を表示し、選択手段によって選択した文字表示欄が押圧されると、文字表示欄に、文字表示欄に表示された施設に関する詳細情報を順次切り替えて表示することを特徴とする。
（６）請求項６の発明は、請求項４または５に記載のナビゲーション装置において、表示欄制御手段は、第１のサブ表示欄と第２のサブ表示欄とを表示するとともに、第１のサブ表示欄を消去することによって文字表示欄の領域を拡大し、情報表示手段は、第１のサブ表示欄および第２のサブ表示欄のいずれかに、検索手段で検索した施設の自車位置に対する方向を表示し、第１のサブ表示欄および第２のサブ表示欄の他方に、検索手段で検索した施設までの距離を表示することを特徴とする。
【発明の効果】
【０００５】
本発明によれば、サブ表示欄を消去して文字表示欄の表示領域を拡大することができるので、文字表示欄に一括表示することのできる文字列の文字数を増やすことができる。
【発明を実施するための最良の形態】
【０００６】
本発明の実施形態によるナビゲーション装置１では、所定の検索結果をリストとして表示モニタ１６に表示する。このナビゲーション装置１の構成を図１に示す。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９およびディスクドライブ１１１を有している。ディスクドライブ１１１には、地図データが記憶されたＤＶＤ−ＲＯＭ１１２が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１２に記憶された地図データに基づいて所定の経路探索処理を行うと、その処理結果が推奨経路として表示モニタ１６に表示される。また、制御回路１１は、入力装置１８やタッチパネル１９によって入力された検索条件に基づいて、地図データに格納されている施設の検索を行う。たとえば、ユーザが入力装置１８によって「博物館」と入力すると、地図データに記憶されている博物館が検索される。検索結果はリストとして表示モニタ１６に表示される。
【０００８】
現在地検出装置１４は車両の現在地を検出する装置である。現在地検出装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは、車両の進行方向を検出する。車速センサ１４ｂは、車速を検出する。ＧＰＳセンサ１４ｃは、ＧＰＳ衛星からのＧＰＳ信号を検出する。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データからなり、それらはＤＶＤ−ＲＯＭ１１２に記憶された地図データに基づいて、適宜生成される。ナビゲーション装置１は、このようにして生成された画像データを用いることによって地図表示など行うことができる。
【００１０】
ディスクドライブ１１１は、ＤＶＤ−ＲＯＭ１１２から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。なお、ＤＶＤ−ＲＯＭ１１２以外の他の記録メディア、たとえばＣＤ−ＲＯＭやハードディスクなどより地図データを読み出してもよい。
【００１１】
表示モニタ１６は、地図データなどの各種情報に基づいて、自車位置付近の道路地図などの各種情報を画面表示としてユーザに提供する。また、上述したように検索結果をリストとして表示する。スピーカ１７は、各種入力操作をユーザに指示したり、経路誘導したりするための音声を出力する。入力装置１８は、ユーザが各種コマンドの設定などするための操作キーを有し、操作パネル上のボタンスイッチやパネル周囲のハードスイッチなどによって実現される。ユーザは、表示モニタ１６の表示画面の指示に従ってパネル上のボタンスイッチを指で押圧することにより、目的地選択などの設定操作を行う。また、上述したように、入力装置１８の操作により検索条件を入力することができる。
【００１２】
タッチパネル１９は、表示モニタ１６の表面に積層される透明のタッチスイッチであり、表示モニタ１６に表示される画像はタッチパネル１９を通して表示される。タッチパネル１９は、タッチパネル１９上の操作位置に応じた信号をタッチパネルコントロール部１１０に送出し、タッチパネルコントロール部１１０はタッチパネル１９の押圧位置を算出する。
【００１３】
表示モニタ１６の表示画面を押圧するとタッチパネル１９が押圧される。そして、各種ボタン、表示メニューなどの表示位置で表示画面から指を離して押圧を止めると、押圧を止めた位置の各種ボタンや表示メニューに定義された処理が実行される。また、表示画面に表示されたメニューを押圧して適宜選択することによって検索の条件を入力することができる。
【００１４】
目的地がユーザにより設定されると、ナビゲーション装置１はＧＰＳセンサ１４ｃにより検出された現在地を出発地として目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路に従って車両が走行できるように、ユーザに対して画面や音声などによる進行方向指示を行い、車両を経路誘導する。
【００１５】
次に、本発明の実施形態における文字列の表示操作について図２〜４を参照して説明する。ナビゲーション装置１は、所定の検索条件で施設検索を行い、その結果を表示モニタ１６にリスト表示しているものとして説明する。
【００１６】
図２は、検索結果を表示した検索結果画面２０を説明するための図である。上述した施設検索を行うと、その結果が検索結果画面２０に表示される。図２に示すように、検索結果画面２０には、文字表示欄２１ａ〜２１ｅ、施設方向表示欄２２ａ〜２２ｅ、距離表示欄２３ａ〜２３ｅ、検索結果ページ切替ボタン２４ａ，２４ｂおよび検索結果スクロールボタン２５ａ，２５ｂが表示される。１つの文字表示欄２１ａ〜２１ｅ、１つの施設方向表示欄２２ａ〜２２ｅおよび１つの距離表示欄２３ａ〜２３ｅが１つの組となり、リスト表示される。
【００１７】
文字表示欄２１ａ〜２１ｅには、検索結果である施設名称とその詳細情報との文字列が表示される。文字表示欄２１ａ〜２１ｅに表示される文字数は、検索結果画面２０のスペースの都合上、６文字に制限されている。したがって、文字表示欄２１ａ〜２１ｅに検索結果である施設名称を表示するために、文字表示欄２１ａに「県立座間博物館」という文字列を、文字表示欄２１ｂに「県立座間美術館」という文字列を、文字表示欄２１ｃに「県立座間水族館」という文字列を、文字表示欄２１ｄに「県立座間動物」という文字列を、文字表示欄２１ｅに「県立座間図書館」という文字列を表示しようとしても、文字表示欄２１ａ〜２１ｅには施設名称の全てを一括表示することはできない。さらに、文字表示欄２１ａ〜２１ｅに施設の詳細情報を表示しようとしてもスペースがないので表示することはできない。このような場合、文字表示欄２１ａ〜２１ｅに表示する文字列を順次切り替えて表示する必要がある。文字列の切替表示の詳細については後述する。
【００１８】
また、文字表示欄２１ａ〜２１ｅの表示位置でタッチパネル１９から指を離して押圧を止めると、文字表示欄２１ａ〜２１ｅに表示されている施設が経路探索の目的地として設定される。
【００１９】
施設方向表示欄２２ａ〜２２ｅは、自車位置から車両進行方向に対して文字表示欄２１ａ〜２１ｅに表示されている施設の方向を表示する。距離表示欄２３ａ〜２３ｅは、自車位置から文字表示欄２１ａ〜２１ｅに表示されている施設までの距離を表示する。
【００２０】
検索結果ページ切替ボタン２４ａ，２４ｂは、検索結果のページを一つ前のページに切り替えたり、次のページに切り替えたりするボタンである。検索された施設は、５件を１ページとして区切られている。検索結果ページ切替ボタン２４ａ，２４ｂの表示位置で表示画面から指を離して押圧を止めると、検索結果ページ切替ボタン２４ａの場合は検索結果画面２０の一番上の施設に属するページの次のページが表示される。検索結果ページ切替ボタン２４ｂの場合は検索結果画面２０に表示されている一番上の施設に属するページの前のページが表示される。
【００２１】
検索結果スクロールボタン２５ａ，２５ｂは、検索結果画面２０に表示される施設を順次一つずつ繰り上げたり、繰り下げたりするためのボタンである。検索結果スクロールボタン２５ａ，２５ｂの表示位置で表示画面から指を離して押圧を止めると、検索結果スクロールボタン２５ａの場合は検索結果画面２０に表示される施設が一つ繰り上がって表示される。検索結果スクロールボタン２５ｂの場合は検索結果画面２０に表示される施設が一つ繰り下がって表示される。
【００２２】
次に、本発明の一実施形態における文字表示欄２１ａ〜２１ｅの拡大表示操作について図３を参照して説明する。本発明の実施形態では、文字表示欄２１ａ〜２１ｅに表示する文字列を切替表示する前に、文字表示欄２１ａ〜２１ｅの表示領域を拡大し、文字表示欄２１ａ〜２１ｅに一括表示することのできる文字数を増加させる。ここで、文字表示欄２１ｄの表示領域を拡大するものとして説明する。
【００２３】
文字表示欄２１ｄの表示領域を拡大する場合、図３（ａ）に示すように、文字表示欄２１ｄを押圧する。そして、押圧した状態で、押圧位置を矢印３１の方向に移動し、文字表示欄２１ｄ以外の領域で表示画面から指を離して押圧を止める。その結果、図３（ｂ）に示すように、施設方向表示欄２２ｄの表示は消え、施設方向表示欄２２ｄの領域分、文字表示欄２１ｄの領域が広がる。また、文字表示欄２１ｄおよび距離表示欄２３ｄの外周の輪郭が太く表示されて表示態様が変化し、文字表示欄２１ｄおよび距離表示欄２３ｄはアクティブ表示になる。文字表示欄２１ｄの表示領域が拡大されたので、文字表示欄２１ａに一括表示できる文字数が６文字から８文字まで増加する。そして、「県立座間動物」としか表示できなかったものが「県立座間動物公園」まで表示できるようになる。
【００２４】
文字表示欄２１ｄに表示される文字列の切替表示は次のような操作で行い、文字表示欄２１ｄに表示される施設の詳細情報を表示することができる。図４（ａ）に示すように、アクティブ表示の文字表示欄２１ｄを押圧すると、図４（ｂ）に示すように、文字表示欄２１ｄに表示される文字列が「県立座間動物公園」から「ＴＥＬ：０１２３４５６７」に切り替わる。一定時間、表示した後、図４（ｃ）に示すように、文字表示欄に２１ｄに表示される文字列が「開園：ＡＭ９：００〜ＰＭ５：００」に切り替わる。一定時間表示した後、図４（ｅ）に示すように、文字表示欄２１ｄに表示される文字列が「県立座間動物公園」に切り替わり、一定時間表示される。図４（ａ）〜図４（ｄ）の一連の動作は、アクティブ表示の文字表示欄２１ｄが再度押圧されるまで続く。
【００２５】
消去された施設方向表示欄２２ｄの施設方向は次のようにして表示させることができる。図５（ａ）に示すように、アクティブ表示の距離表示欄２３ｄを押圧する。そうすると、図５（ｂ）に示すように、距離表示欄２３ｄに施設方向が表示される。さらに、図５（ｃ）の示すように、施設方向が表示された距離表示欄２３ｄを押圧すると、図５（ｄ）に示すように、距離表示欄２３ｄに施設までの距離が表示される。
【００２６】
文字表示欄２１ｄを通常の表示に戻すためには次のような操作を行う。アクティブ表示の文字表示欄２１ｄを押圧する。そして、押圧した状態で、押圧位置を移動し、文字表示欄２１ｄ以外の領域で表示画面から指を離して押圧を止める。そうすると、アクティブ表示から通常の表示に戻り、文字表示欄２１ｄ、施設方向指示欄２２ｄおよび距離表示欄２３ｄが表示される。
【００２７】
本発明の実施形態によるナビゲーション装置１の文字表示欄の拡大処理について図６のフローチャートを参照して説明する。図６の処理は、検索結果画面２０が表示モニタ１６に表示されるとスタートするプログラムにより、制御回路１１において実行される。
【００２８】
ステップＳ６０１では、タッチパネルコントロール部１１０が算出したタッチパネル１９の押圧位置より、文字表示欄２１ａ〜２１ｅのいずれかが押圧されたかを判定する。押圧された場合はステップＳ６０１が肯定判定され、ステップＳ６０２へ進む。押圧されていない場合はステップＳ６０１を繰り返す。ステップＳ６０２では、押圧された文字表示欄２１ａ〜２１ｅをＲＡＭ１３に記憶する。ステップＳ６０３では、押圧位置をＲＡＭ１３に記憶する。ステップＳ６０４では、タッチパネル１９が押圧されているかを判定する。押圧されている場合はステップＳ６０４が肯定判定され、ステップＳ６０３へ戻る。押圧されていない場合はステップＳ６０４が否定判定され、ステップＳ６０５へ進む。
【００２９】
ステップＳ６０５では、ＲＡＭ１３に記憶されている押圧位置に基づいて、最後に検出された押圧位置は、ステップＳ６０２でＲＡＭ１３に記憶した文字表示欄２１ａ〜２１ｅの表示領域以外であるかを判定する。表示領域以外の場合はステップＳ６０５が肯定判定され、ステップＳ６０６へ進む。表示領域の場合はステップＳ６０５が否定判定され、そのままリターンする。ステップＳ６０６では、押圧された文字表示欄２１ａ〜２１ｅがアクティブ表示されているかを判定する。アクティブ表示されている場合はステップＳ６０６が肯定判定され、ステップＳ６０９へ進む。アクティブ表示されていない場合はステップＳ６０６が否定判定され、ステップＳ６０７へ進む。
【００３０】
ステップＳ６０７では、ＲＡＭ１３に記憶されている文字表示欄２１ａ〜２１ｅに係る施設方向表示欄２２ａ〜２２ｅを消去して、文字表示欄２１ａ〜２１ｅの表示領域を広げる。ステップＳ６０８では、ＲＡＭ１３に記憶されている文字表示欄２１ａ〜２１ｅとその文字表示欄２１ａ〜２１ｅに係る距離表示欄２３ａ〜２３ｅとをアクティブ表示にする。そして、リターンする。
【００３１】
ステップＳ６０９では、アクティブ表示されていた文字表示欄２１ａ〜２１ｅに係る施設方向表示欄２２ａ〜２２ｅを表示して、表示モニタ１６に文字表示欄２１ａ〜２１ｅ、施設方向表示欄２２ａ〜２２ｅおよび距離表示欄２３ａ〜２３ｅを表示する。ステップＳ６１０では、アクティブ表示から通常の表示に戻す。そして、リターンする。
【００３２】
次に本発明の実施形態によるナビゲーション装置１の文字列の表示処理について図７のフローチャートを参照して説明する。図７の処理は、検索結果画面２０が表示モニタ１６に表示されるとスタートするプログラムにより、制御回路１１において実行される。
【００３３】
ステップＳ７０１では、文字表示欄２１ａ〜２１ｅの表示領域が押圧されたかを判定する。押圧された場合はステップＳ７０１が肯定判定され、ステップＳ７０２へ進む。押圧されていない場合はリターンする。ステップＳ７０２では、押圧された文字表示欄２１ａ〜２１ｅをアクティブ表示しているかを判定する。アクティブ表示している場合はステップＳ７０２が肯定判定され、ステップＳ７０３へ進む。アクティブ表示していない場合はステップＳ７０２が否定判定され、リターンする。
【００３４】
ステップＳ７０３では、押圧された文字表示欄２１ａ〜２１ｅの文字列を切替表示しているかを判定する。切替表示している場合はステップＳ７０３が肯定判定され、ステップＳ７０５へ進む。切替表示していない場合はステップＳ７０３が否定判定され、ステップＳ７０４へ進む。ステップＳ７０４では、文字列を切替表示する。切替表示では、文字列を所定時間文字表示欄２１ａ〜２１ｅに表示した後、文字表示欄２１ａ〜２１ｅに表示する文字列を次の文字列に切り替える。このように、文字表示欄２１ａ〜２１ｅに表示する文字列を順次切り替えることによって、施設の詳細情報を文字表示欄２１ａ〜２１ｅに表示する。そして、リターンする。
【００３５】
ステップＳ７０５では、押圧された文字表示欄２１ａ〜２１ｅに表示されている文字列の切替表示を停止する。そして、リターンする。
【００３６】
次に本発明の実施形態によるナビゲーション装置１の距離表示欄２３ａ〜２３ｅの表示切替処理について図８のフローチャートを参照して説明する。図８の処理は、検索結果画面２０が表示モニタ１６に表示されるとスタートするプログラムにより、制御回路１１において実行される。
【００３７】
ステップＳ８０１では、距離表示欄２３ａ〜２３ｅの表示領域が押圧されたかを判定する。押圧された場合はステップＳ８０１が肯定判定され、ステップＳ８０２へ進む。押圧されていない場合はリターンする。ステップＳ８０２では、押圧された距離表示欄２３ａ〜２３ｅをアクティブ表示しているかを判定する。アクティブ表示している場合はステップＳ８０２が肯定判定され、ステップＳ８０３へ進む。アクティブ表示していない場合はステップＳ８０２が否定判定され、リターンする。
【００３８】
ステップＳ８０３では、押圧された距離表示欄２３ａ〜２３ｅに施設方向を表示しているかを判定する。表示している場合はステップＳ８０３が肯定判定され、ステップＳ８０５へ進む。表示していない場合はステップＳ８０３が否定判定され、ステップＳ８０４へ進む。ステップＳ８０４では、押圧された距離表示欄２３ａ〜２３ｅに施設方向を表示する。そして、リターンする。
【００３９】
ステップＳ８０５では、押圧された距離表示欄２３ａ〜２３ｅに施設までの距離を表示する。そして、リターンする。
【００４０】
以上の本発明の実施の形態によるナビゲーション装置１は次のような作用効果を奏する。
（１）施設方向表示欄２２ａ〜２２ｅを消去して文字表示欄２１ａ〜２１ｅの表示領域を拡大することができるので、文字表示欄２１ａ〜２１ｅに一括表示することのできる文字列の文字数を増やすことができる。
【００４１】
（２）文字表示欄２１ａ〜２１ｅを選択すると、選択した文字表示欄２１ａ〜２１ｅの表示領域を拡大するので、所望の文字表示欄２１ａ〜２１ｅについて一括表示することのできる文字数を増加させることができる。したがって、文字表示欄２１ａ〜２１ｅを選択して文字表示欄２１ａ〜２１ｅに表示されていない文字列を確認することができる。
【００４２】
（３）文字表示欄２１ａ〜２１ｅの表示領域を押圧し、文字表示欄２１ａ〜２１ｅの表示領域以外の領域でタッチパネル１９から指を離して押圧を止めることによって、文字表示欄２１ａ〜２１ｅの表示領域を拡大することができる。したがって、所望の文字表示欄２１ａ〜２１ｅを簡単な操作で選択することができ、ユーザの利便性が向上する。
【００４３】
（４）施設の検索結果には、施設名称を表示する文字表示欄２１ａ〜２１ｅ、文字表示欄２１ａ〜２１ｅに表示されている施設の方向を表示する施設方向表示欄２２ａ〜２２ｅおよび文字表示欄２１ａ〜２１ｅに表示されている施設までの距離を表示する距離表示欄２３ａ〜２３ｅを表示する。したがって、検索された施設の位置を容易に把握することができる。一方、文字表示欄２１ａ〜２１ｅに表示された施設について詳細な情報を知りたい場合、施設方向表示欄２２ａ〜２２ｅの表示を消去して文字表示欄２１ａ〜２１ｅの表示領域を拡大する。したがって、施設名称のうちの文字表示欄２１ａ〜２１ｅに表示できなかった部分も表示させることができる。文字表示欄２１ａ〜２１ｅの表示領域を拡大した上で、文字列を文字表示欄２１ａ〜２１ｅに切替表示することができる。したがって、文字表示欄２１ａ〜２１ｅに表示された施設について詳細な情報を効率よく取得することができる。さらに、消去した施設方向表示欄２２ａ〜２２ｅに表示されていた施設の方向についても、距離表示欄２３ａ〜２３ｅを押圧すれば施設の方向が表示される。したがって、文字表示欄２１ａ〜２１ｅの表示領域を拡大した後も施設の方向を知ることができ、ユーザの利便性が向上する。
【００４４】
（５）文字表示欄２１ａ〜２１ｅに文字列を切り替えて表示する場合は、文字表示欄２１ａ〜２１ｅの表示領域を拡大し、一括表示することのできる文字数を、切替表示の前のものと比べて多くする。したがって、文字列を切り替える回数を少なくすることができ、効率よく文字列を表示モニタ１６に表示することができる。
【００４５】
以上の実施の形態を次のように変形することができる。
（１）施設方向表示欄２２ａ〜２２ｅを消去することによって、文字表示欄２１ａ〜２１ｅの表示領域を拡大した。しかし、施設方向表示欄２２ａ〜２２ｅおよび距離表示欄２３ａ〜２３ｅを消去することによって文字表示欄２１ａ〜２１ｅの表示領域を拡大するようにしてもよい。文字表示欄２１ａ〜２１ｅに一括表示することのできる文字数がさらに増える。また、距離表示欄２３ａ〜２３ｅを文字表示欄２１ａ〜２１ｅに隣接して表示するようにして、距離表示欄２３ａ〜２３ｅを消去することによって、文字表示欄２１ａ〜２１ｅの表示領域を拡大するようにしてもよい。
（２）文字表示欄２１ａ〜２１ｅに表示された文字列に関する情報を表示したサブ表示欄であれば、施設方向表示欄２２ａ〜２２ｅや距離表示欄２３ａ〜２３ｅに限定されない。
（３）サブ表示欄の数は、２つに限定されず、１つでもよいし、３つ以上でもよい。
（４）文字表示欄２１ａ〜２１ｅとともに表示したサブ表示欄を消去することによって、文字表示欄２１ａ〜２１ｅの表示領域を拡大し、一括表示できる文字数を増やすものであれば、実施例に限定されない。
【００４６】
以上の説明はあくまで一例であり、発明は、上記の実施形態に何ら限定されるものではない。
【００４７】
特許請求の範囲の要素と実施の形態との対応関係を説明する。
本発明の表示欄制御手段、文字列表示手段および情報表示手段は制御回路１１に対応し、選択手段はタッチパネル１９に対応する。検索条件入力手段は入力装置１８またはタッチパネル１９に対応し、検索手段は制御回路１１に対応する。なお、以上の説明はあくまで一例であり、発明を解釈する上で、上記の実施形態の構成要素と本発明の構成要素の対応関係になんら限定されるものではない。
【図面の簡単な説明】
【００４８】
【図１】本発明の一実施形態によるナビゲーション装置の構成を示すブロック図である。
【図２】検索結果画面を説明するための図である。
【図３】文字表示欄の表示領域拡大の操作について説明する図である。
【図４】文字表示欄における文字列の切替表示を説明するための図である。
【図５】距離表示欄における表示の切替操作を説明するための図である。
【図６】文字表示欄の拡大処理を説明するためのフローチャートである。
【図７】文字列の切替表示処理を説明するためのフローチャートである。
【図８】距離表示欄の表示切替処理を説明するためのフローチャートである。
【符号の説明】
【００４９】
１  ナビゲーション装置
１１  制御回路
１６  表示モニタ
１８  入力装置
１９  タッチパネル
１１０  タッチパネルコントロール部
１１１  ディスクドライブ
１１２  ＤＶＤ−ＲＯＭ
【図１】
2008032628.tif 000003
【図２】
2008032628.tif 000004
【図３】
2008032628.tif 000005
【図４】
2008032628.tif 000006
【図５】
2008032628.tif 000007
【図６】
2008032628.tif 000008
【図７】
2008032628.tif 000009
【図８】
2008032628.tif 000010